(57)【要約】【課題】ＰＣＳの不具合発生を抑制し、発電の機会損失を低減することができる電力制御システムおよび電力制御方法を提供する。【解決手段】商用系統１１と連系される電源制御装置１０と、分散電源装置３０，４０の変換部３２，４２を制御する分散電源監視部２０と、分散電源装置３０，４０から供給される電力の処理が可能な電力処理部１４と、分散電源装置３０，４０の発電部３１，４１が発電した電力に関する情報を取得するセンサ部３５，４５とが設けられ、分散電源監視部１０は、電力に関する情報に基づいて変換部３２，４２から出力される電力量を予測し、予測した電力量が電源制御装置１０の容量および負荷部１２における所定の消費電力量の和である判定閾値を超える場合には、変換部３２，４２を停止させ、判定閾値以下の場合には変換部３２，４２に電力の変換を行わせることを特徴とする。【選択図】  図１
2016111735.tif 000002
【特許請求の範囲】
【請求項１】
商用系統と連系され、負荷部に電力を供給する電源制御装置と、
前記電源制御装置および前記負荷部の間に連系され、発電部により発電された電力を変換部において変換して前記負荷部に電力を供給する分散電源装置に対して、前記変換部における電力の変換を制御する制御信号を出力する分散電源監視部と、
前記電源制御装置と連系され、前記分散電源装置から供給される電力の少なくとも一部の処理が可能な電力処理部と、
前記発電部において発電された電力に関する情報を取得し、前記分散電源監視部へ出力するセンサ部と、
が設けられ、
分散電源監視部は、前記センサ部から取得した前記電力に関する情報に基づいて、前記変換部から出力される電力量を予測し、予測した前記電力量が、前記電源制御装置の容量および前記負荷部における所定の消費電力量の和（以下「判定閾値」と表記する。）を超える場合には、前記変換部における電力の変換を停止させる制御信号を出力し、予測した前記電力量が、前記判定閾値以下の場合には、前記変換部における電力の変換を行う制御信号を出力することを特徴とする電力制御システム。
【請求項２】
複数の前記分散電源装置と、複数の前記分散電源装置の前記発電部において発電された電力に関する情報をそれぞれ取得する複数の前記センサ部と、が設けられ、
前記分散電源監視部は、前記複数のセンサ部から取得した前記電力に関する情報に基づいて、前記複数の分散電源装置の前記変換部から出力される電力量をそれぞれ予測し、
前記分散電源装置の電力量の和が、前記判定閾値以下となる前記分散電源装置の台数を求め、
求められた台数の前記分散電源装置に対して、前記変換部における電力の変換を行う制御信号を出力し、求められた台数を超える分の前記分散電源装置に対して、前記変換部における電力の変換を停止させる制御信号を出力することを特徴とする請求項１記載の電力制御システム。
【請求項３】
前記所定の消費電力量は、前記負荷部における所定期間内の最低消費電力量、前記所定期間内の消費電力量の平均値、および、前記所定期間内の消費電力量の最大消費電力量のいずれかであることを特徴とする請求項１または２に記載の電力制御システム。
【請求項４】
前記電力処理部は、電力の充放電が可能な蓄電部、および、電力を消費する消費部のいずれかであることを特徴とする請求項１または２に記載の電力制御システム。
【請求項５】
商用系統と連系され、負荷部に電力を供給する電源制御装置と、
前記電源制御装置および前記負荷部の間に連系され、発電部により発電された電力を変換部において変換して前記負荷部に電力を供給する分散電源装置に対して、前記変換部における電力の変換を制御する制御信号を出力する分散電源監視部と、
前記電源制御装置と連系され、前記分散電源装置から供給される電力の少なくとも一部の処理が可能な電力処理部と、
前記発電部において発電された電力に関する情報を取得し、前記分散電源監視部へ出力するセンサ部と、
が設けられた電力制御システムにおける電力制御方法であって、
前記発電部において発電された電力に関する情報を取得する取得ステップと、
前記取得した前記電力に関する情報に基づいて、前記変換部から出力される電力量を演算により予測する演算ステップと、
予測した前記電力量が、前記判定閾値以下であるか否かを判定する判定ステップと、
予測した前記電力量が、前記判定閾値を超える場合には、前記変換部における電力の変換を停止させる制御信号を出力し、予測した前記電力量が、前記判定閾値以下の場合には、前記変換部における電力の変換を行う制御信号を出力する制御ステップと、
を有することを特徴とする電力制御方法。
【請求項６】
前記分散電源装置が複数設けられている電力制御システムにおける電力制御方法であって、
前記取得ステップでは、全ての前記発電部において発電された電力に関する情報をそれぞれ取得し、
前記演算ステップでは、前記取得した前記電力に関する情報に基づいて、前記変換部から出力される電力量を演算によりそれぞれ予測し、全ての予測した電力量の和を求め、
前記判定ステップは、前記全ての予測した電力量の和が前記判定閾値以下であるか否かを判定する第１判定ステップと、
前記第１判定ステップにおいて、前記全ての予測した電力量の和が前記判定閾値を超えると判定された場合に、前記予測した電力量の数を減らした所定数の予測した電力量の和を求め、前記所定数の予測した電力量の和が前記判定閾値以下であるか否かを判定する第２判定ステップと、を有し、
前記制御ステップでは、前記第１判定ステップにおいて前記予測した電力量が前記判定閾値以下と判定された場合には、前記変換部における電力の変換を行う制御信号を出力し、
前記第２判定ステップにおいて前記所定数の予測した電力量の和が前記判定閾値以下であると判定された場合には、前記所定数と同数の前記変換部に対して電力の変換を行う制御信号を出力し、前記所定数を超える分の前記変換部に対して電力の変換を停止させる制御信号を出力することを特徴とする請求項５記載の電力制御方法。
【発明の詳細な説明】
【技術分野】
【０００１】
本発明は、電力制御システムおよび電力制御方法に関する。
【背景技術】
【０００２】
マイクログリッドに代表されるように大規模な電力系統から独立して運用することが可能な電力システムは、分散電源をシステム内に導入する場合、余剰電力が系統側へ流れ出る可能性（言い換えると、逆潮流電力が発生する可能性）を考慮する必要があることが知られている。このような系統側への逆潮流が認められない場合、余剰電力が発生する可能性がある条件では、分散電源を停止する対応がとられている（例えば、特許文献１および２参照。）。
【先行技術文献】
【特許文献】
【０００３】
【特許文献１】特開２０１１−１５５７９２号公報
【特許文献２】特開２００６−２９６０９７号公報
【発明の概要】
【発明が解決しようとする課題】
【０００４】
すると、上述の電力システムでは、逆潮流を検出するたびに分散電源を停止する制御を行い、逆潮流が検出されなくなると分散電源を起動（再起動を含む）する制御を行うことが想定される。その一方で、太陽光発電に代表されるように分散電源の出力は不安定な場合が多い。その結果として、上述の電力システムでは、分散電源の停止と起動とが頻繁に繰り返される可能性がある。
【０００５】
このように分散電源の停止と起動とが頻繁に行われると、分散電源に設けられたパワーコンディショナ（以下「ＰＣＳ」とも表記する。）が故障したり、寿命が短くなったりするおそれがあった。
【０００６】
また、一度ＰＣＳを停止すると、再度、起動するまでに数分を要することが一般的である。この停止から起動されるまでの期間は、分散電源からの出力が行われないため、発電機会の損失（言い換えると、経済的損失）となるという問題もあった。
【０００７】
本発明は、上記の課題を解決するためになされたものであって、逆潮流の発生を抑制するとともに、ＰＣＳの不具合発生を抑制し、発電の機会損失を低減することができる電力制御システムおよび電力制御方法を提供することを目的とする。
【課題を解決するための手段】
【０００８】
上記目的を達成するために、本発明は、以下の手段を提供する。
本発明における第１の態様の電力制御システムは、商用系統と連系され、負荷部に電力を供給する電源制御装置と、前記電源制御装置および前記負荷部の間に連系され、発電部により発電された電力を変換部において変換して前記負荷部に電力を供給する分散電源装置に対して、前記変換部における電力の変換を制御する制御信号を出力する分散電源監視部と、前記電源制御装置と連系され、前記分散電源装置から供給される電力の少なくとも一部の処理が可能な電力処理部と、前記発電部において発電された電力に関する情報を取得し、前記分散電源監視部へ出力するセンサ部と、が設けられ、分散電源監視部は、前記センサ部から取得した前記電力に関する情報に基づいて、前記変換部から出力される電力量を予測し、予測した前記電力量が、前記電源制御装置の容量および前記負荷部における所定の消費電力量の和（以下「判定閾値」と表記する。）を超える場合には、前記変換部における電力の変換を停止させる制御信号を出力し、予測した前記電力量が、前記判定閾値以下の場合には、前記変換部における電力の変換を行う制御信号を出力することを特徴とする。
【０００９】
本発明における第２の態様の電力制御方法は、商用系統と連系され、負荷部に電力を供給する電源制御装置と、前記電源制御装置および前記負荷部の間に連系され、発電部により発電された電力を変換部において変換して前記負荷部に電力を供給する分散電源装置に対して、前記変換部における電力の変換を制御する制御信号を出力する分散電源監視部と、前記電源制御装置と連系され、前記分散電源装置から供給される電力の少なくとも一部の処理が可能な電力処理部と、前記発電部において発電された電力に関する情報を取得し、前記分散電源監視部へ出力するセンサ部と、が設けられた電力制御システムにおける電力制御方法であって、前記発電部において発電された電力に関する情報を取得する取得ステップと、前記取得した前記電力に関する情報に基づいて、前記変換部から出力される電力量を演算により予測する演算ステップと、予測した前記電力量が、前記判定閾値以下であるか否かを判定する判定ステップと、予測した前記電力量が、前記判定閾値を超える場合には、前記変換部における電力の変換を停止させる制御信号を出力し、予測した前記電力量が、前記判定閾値以下の場合には、前記変換部における電力の変換を行う制御信号を出力する制御ステップと、を有することを特徴とする。
【００１０】
本発明の電力制御システムによれば、分散電源装置の変換部から出力が予測される電力量が、電源制御装置の容量および所定の消費電力量の和である判定閾値を超える場合には、変換部における電力の変換が停止される。その一方で、予測した電力量が判定閾値以下の場合には、変換部における電力の変換が継続される。また、電力の変換が継続される場合であって、予測した電力量が負荷部における消費電力量を超えるときには、超える分の電力量が電源制御装置を介して電力処理部へ供給される。予測した電力量が負荷部における消費電力量以下のときには、分散電源装置から供給される電力の全てが負荷部へ供給される。
【００１１】
判定閾値として、電源制御装置の容量も加えた値を用いることにより、負荷部の所定の消費電力量だけの場合と比較して、変換部における電力変換および停止の制御が行われる頻度が低下しやすくなる。
【００１２】
上記発明の第１の態様においては、複数の前記分散電源装置と、複数の前記分散電源装置の前記発電部において発電された電力に関する情報をそれぞれ取得する複数の前記センサ部と、が設けられ、前記分散電源監視部は、前記複数のセンサ部から取得した前記電力に関する情報に基づいて、前記複数の分散電源装置の前記変換部から出力される電力量をそれぞれ予測し、前記分散電源装置の電力量の和が、前記判定閾値以下となる前記分散電源装置の台数を求め、求められた台数の前記分散電源装置に対して、前記変換部における電力の変換を行う制御信号を出力し、求められた台数を超える分の前記分散電源装置に対して、前記変換部における電力の変換を停止させる制御信号を出力することが好ましい。
【００１３】
上記発明の第２の態様においては、前記分散電源装置が複数設けられている電力制御システムにおける電力制御方法であって、前記取得ステップでは、全ての前記発電部において発電された電力に関する情報をそれぞれ取得し、前記演算ステップでは、前記取得した前記電力に関する情報に基づいて、前記変換部から出力される電力量を演算によりそれぞれ予測し、全ての予測した電力量の和を求め、前記判定ステップは、前記全ての予測した電力量の和が前記判定閾値以下であるか否かを判定する第１判定ステップと、前記第１判定ステップにおいて、前記全ての予測した電力量の和が前記判定閾値を超えると判定された場合に、前記予測した電力量の数を減らした所定数の予測した電力量の和を求め、前記所定数の予測した電力量の和が前記判定閾値以下であるか否かを判定する第２判定ステップと、を有し、前記制御ステップでは、前記第１判定ステップにおいて前記予測した電力量が前記判定閾値以下と判定された場合には、前記変換部における電力の変換を行う制御信号を出力し、前記第２判定ステップにおいて前記所定数の予測した電力量の和が前記判定閾値以下であると判定された場合には、前記所定数と同数の前記変換部に対して電力の変換を行う制御信号を出力し、前記所定数を超える分の前記変換部に対して電力の変換を停止させる制御信号を出力することが好ましい。
【００１４】
このようにすることにより、分散電源装置が複数設けられている場合であっても、逆潮流を起こさない台数の分散電源装置を用いて電力の供給を行い、余剰となった分散電源装置に対しては電力の供給を停止する制御を行うことができる。
【００１５】
上記発明の第１の態様において前記所定の消費電力量は、前記負荷部における所定期間内の最低消費電力量、前記所定期間内の消費電力量の平均値、および、前記所定期間内の消費電力量の最大消費電力量のいずれかであることが好ましい。
【００１６】
このように所定の消費電力量を、負荷部における所定期間内の最低消費電力量や、消費電力量の平均値や、最大消費電力量等のように負荷部と関連する値とすることにより、負荷部における消費電力量に応じた制御が行うことができる。
【００１７】
上記発明の第１の態様において前記電力処理部は、電力の充放電が可能な蓄電部、および、電力を消費する消費部のいずれかであることが好ましい。
このように電力処理部を蓄電部とすることにより、電力処理部が消費部である場合と比較して、分散電源装置から供給された電力が負荷部で利用される割合を増加させやすくなる。また、電力処理部を消費部とすることにより、電力処理部が蓄電部である場合と比較して、逆潮流が発生することを抑制しやすくなる。
【発明の効果】
【００１８】
本発明の第１の態様の電力制御システム、および、第２の態様の電力制御方法によれば、判定閾値として、電源制御装置の容量も加えた値を用いることにより、負荷部の所定の消費電力量だけの場合と比較して、変換部における電力変換および停止の制御が行われる頻度が低下しやすくなり、ＰＣＳの不具合発生を抑制し、発電の機会損失を低減することができるという効果を奏する。
【図面の簡単な説明】
【００１９】
【図１】本発明の第１の実施形態に係る電力制御システムの構成を説明する模式図である。
【図２】図１の分散電源監視部における構成を説明するブロック図である。
【図３】図３（a）は、通常運用設定における各ＳＯＣおよび各Ｖの値を説明するグラフであり、図３（ｂ）は、バッテリ上限閾値に到達した際の電源停止設定における各ＳＯＣおよび各Ｖの値を説明するグラフであり、図３（ｃ）は、バッテリ下限閾値に到達した際の電源停止設定における各ＳＯＣおよび各Ｖの値を説明するグラフである。
【図４】図１の電力制御システムにおける制御を説明するフローチャートである。
【図５】図１の電力制御システムにおける制御を説明するフローチャートである。
【図６】図１の電力制御システムにおける制御を説明するフローチャートである。
【図７】図１の電力制御システムにおける制御を説明するフローチャートである。
【図８】ＰＣＳ起動判断シーケンスにおける制御の内容を説明するフローチャートである。
【図９】本発明の第２の実施形態に係る電力制御システムの構成を説明する模式図である。
【図１０】図９の分散電源監視部における構成を説明するブロック図である。
【図１１】図９の電力制御システムにおける制御を説明するフローチャートである。
【発明を実施するための形態】
【００２０】
〔第１の実施形態〕
以下、本発明の第１の実施形態について図１から図８を参照しながら説明する。本実施形態では本発明をマイクログリッドに代表されるように大規模な電力系統から独立して運用することが可能な電力システムに用いられる電力制御システム１に適用して説明する。
【００２１】
本実施形態の電力制御システム１は、図１に示すように、電力制御装置１０と、太陽光発電設備（分散電源装置）３０と、風力発電設備（分散電源装置）４０と、太陽光発電設備３０に設けられたセンサ部３５と、風力発電設備４０に設けられたセンサ部４５と、から主に構成されている。
【００２２】
電力制御装置１０は商用系統１１と連系され、電力制御装置１０と連系された負荷部１２への電力供給を制御するものである。電力制御装置１０には、主に太陽光発電設備３０および風力発電設備４０を監視し制御する分散電源監視部２０と、商用系統１１からの交流電力の入力を制御するＡＣスイッチ１３と、が設けられている。
【００２３】
更に電力制御装置１０には、バッテリ（電力処理部、蓄電部）１４が充放電可能に連系されている。電力制御装置１０は、バッテリ１４への充放電を制御するものでもある。なお、本実施形態ではバッテリ１４として、充放電が可能なリチウムイオン電池などの二次電池である例に適用して説明するが、充放電が可能なコンデンサ（キャパシタ）であってもよく、特に限定するものではない。
【００２４】
太陽光発電設備３０は、電力制御装置１０と負荷部１２との間に連系されるものであり、負荷部１２へ電力を供給が可能なものである。太陽光発電設備３０には、太陽光を用いて発電を行う太陽光パネル（発電部）３１と、太陽光パネル３１において発電された電力を負荷部１２へ供給可能な形式に変換するＰＣＳ（変換部）３２と、が主に設けられている。ＰＣＳ３２は、分散電源監視部２０から入力される制御信号に基づいて変換した電力の出力を制御するものである。
【００２５】
センサ部３５は、太陽光パネル３１とＰＣＳ３２との間に配置されるものであり、電力に関する情報として、太陽光パネル３１から出力される電力の電流および電圧を測定するものである。センサ部３５は、後述する分散電源監視部２０の送受信部２２との間で測定信号の送受信が可能に接続されている。なお、太陽光パネル３１、ＰＣＳ３２、および、センサ部３５としては、公知のものを用いることができ、特にその種類や形式等を限定するものではない。
【００２６】
風力発電設備４０は、電力制御装置１０と負荷部１２との間に連系されるものであり、負荷部１２へ電力の供給が可能なものである。風力発電設備４０には、風力を用いて発電を行う風力発電部（発電部）４１と、風力発電部４１において発電された電力を負荷部１２へ供給可能な形式に変換するＰＣＳ（変換部）４２と、が主に設けられている。ＰＣＳ４２は、分散電源監視部２０から入力される制御信号に基づいて変換された電力の出力を制御するものである。
【００２７】
センサ部４５は、風力発電部４１とＰＣＳ４２との間に配置されるものであり、電力に関する情報として、風力発電部４１から出力される電力の電流および電圧を測定するものである。センサ部４５は、後述する分散電源監視部２０の送受信部２２との間で測定信号の送受信が可能に接続されている。なお、風力発電部４１、ＰＣＳ４２、および、センサ部４５としては、公知のものを用いることができ、特にその種類や形式等を限定するものではない。
【００２８】
分散電源監視部２０は、太陽光発電設備３０のＰＣＳ３２、および、風力発電設備４０のＰＣＳ４２の動作を制御するものである。分散電源監視部２０は、図２に示すように、ＣＰＵ（中央演算処理ユニット）、ＲＯＭ、ＲＡＭ、ハードディスク、入出力インタフェース等を有するコンピュータシステムである。ＲＯＭ等に記憶されている制御プログラムは、ＣＰＵを演算部２１として機能させるものであり、入出力インタフェース等を送受信部２２として機能させるものであり、ハードディスク等を記憶部２３として機能させるものである。
【００２９】
演算部２１は、センサ部３５やセンサ部４５から入力された測定信号に基づいて、太陽光発電設備３０や、風力発電設備４０から供給される電力の値を予測する演算や、ＰＣＳ３２およびＰＣＳ４２の起動および停止の判定処理等を行うものである。演算部２１における処理内容の詳細については後述する。
【００３０】
送受信部２２は、ＰＣＳ３２や、ＰＣＳ４２との間で制御信号の送受信を行うものであり、センサ部３５やセンサ部４５との間で測定信号の送受信を行うものである。さらに、バッテリ１４における電圧Ｖｂａｔｔと、充電率ＳＯＣの値を示す信号の送受信も行うものである。
【００３１】
記憶部２３は、電力制御装置１０の容量であるＰｉｎの値、ＳＯＣｍａｘの値、ＳＯＣｍａｘ２の値、ＳＯＣｍａｘｂの値、ＳＯＣｍｉｎの値、ＳＯＣｍｉｎ２の値、ＳＯＣｍｉｎｂの値、Ｖｍａｘの値、Ｖｍａｘ２の値、Ｖｍａｘｂの値、Ｖｍｉｎの値、Ｖｍｉｎ２の値、Ｖｍｉｎｂの値、判定閾値ＴｈＡを少なくとも記憶するものである。
【００３２】
ここで、ＳＯＣｍａｘおよびＶｍａｘは、図３（a）に示すように、バッテリ１４の通常運転設定における正常使用範囲の上限ＳＯＣおよび上限電圧である。またＳＯＣｍｉｎおよびＶｍｉｎは、正常使用範囲の下限ＳＯＣおよび下限電圧である。ＳＯＣｍａｘｂおよびＶｍａｘｂは、バッテリ１４の通常運転設定における停電時使用範囲の上限ＳＯＣおよび上限電圧である。ＳＯＣｍａｘおよびＶｍａｘとの関係は、ＳＯＣｍａｘｂ＞ＳＯＣｍａｘ、Ｖｍａｘ＞Ｖｍａｘｂとなる。ＳＯＣｍｉｎｂおよびＶｍｉｎｂは、停電時使用範囲の下限ＳＯＣおよび下限電圧である。図に示すように、ＳＯＣｍｉｎおよびＶｍｉｎとの関係は、ＳＯＣｍｉｎ＞ＳＯＣｍｉｎｂ、Ｖｍｉｎ＞Ｖｍｉｎｂとなる。
【００３３】
ＳＯＣｍａｘ２およびＶｍａｘ２は、図３（ｂ）に示すように、バッテリ１４の上限閾値に到達した際の太陽光発電設備３０や、風力発電設備４０の停止設定における正常停止時の復帰の判定基準となるＳＯＣおよび電圧である。図に示すように、ＳＯＣｍａｘおよびＶｍａｘとの関係は、ＳＯＣｍａｘ＞ＳＯＣｍａｘ２、Ｖｍａｘ＞Ｖｍａｘ２となる。
【００３４】
ＳＯＣｍａｘｂ２およびＶｍａｘｂ２は、バッテリ１４の上限閾値に到達した際の太陽光発電設備３０や、風力発電設備４０の停止設定における停電時の復帰の判定基準となるＳＯＣおよび電圧である。図に示すように、ＳＯＣｍａｘｂおよびＶｍａｘｂとの関係は、ＳＯＣｍａｘｂ＞ＳＯＣｍａｘｂ２、Ｖｍａｘｂ＞Ｖｍａｘｂ２となる。
【００３５】
ＳＯＣｍｉｎ２およびＶｍｉｎ２は、図３（ｃ）に示すように、バッテリ１４の下限閾値に到達した際の太陽光発電設備３０や、風力発電設備４０の停止設定における最大設定解除（通常運用への移行）の判定基準となるＳＯＣおよび電圧である。図に示すように、ＳＯＣｍｉｎおよびＶｍｉｎとの関係は、ＳＯＣｍｉｎ２＞ＳＯＣｍｉｎ、Ｖｍｉｎ２＞Ｖｍｉｎとなる。
【００３６】
なお、ＳＯＣｍａｘの値、ＳＯＣｍａｘ２の値、ＳＯＣｍａｘｂの値、ＳＯＣｍｉｎの値、ＳＯＣｍｉｎ２の値、ＳＯＣｍｉｎｂの値、Ｖｍａｘの値、Ｖｍａｘ２の値、Ｖｍａｘｂの値、Ｖｍｉｎの値、Ｖｍｉｎ２の値、および、Ｖｍｉｎｂの値は、上述の関係を満たすように設定したものであればよく、電力制御システム１の運用状況に応じて適宜その値を変更してもよい。
【００３７】
判定閾値ＴｈＡは、電力制御装置１０の容量の値Ｐｉｎと、負荷部１２における所定の消費電力の値との合計である。所定の消費電力の値としては、負荷部１２における所定期間内の最低消費電力量や、所定期間内の消費電力量の平均値や、所定期間内の消費電力量の最大消費電力量などを例示することができる。
【００３８】
次に、上記構成の電力制御システム１における制御について説明する。
商用系統１１から電力制御装置１０に交流電力の供給が開始されると、図４のフローチャートに示すように、分散電源監視部２０の演算部２１は交流入力電源が正常か否かを判定する処理を行う（Ｓ１０）。上述の正常か否かの判定としては、入力された交流電力の周波数や、電圧や、電流が予め定められた範囲に含まれるか否かにより行う方法を例示することができるが、これらの方法に限定されるものではない。
【００３９】
Ｓ１０の判定において交流入力電源が正常と判定された場合（ＹＥＳの場合）には、演算部２１は、Ｐｉｎを設定する処理を行う（Ｓ１１）。Ｓ１１の処理では、電力制御装置１０の最大容量Ｐｍａｘ以下の所定値Ｐｘに設定される例に適用して説明する。
【００４０】
その後、演算部２１はＰｉｎの値が０であるか否かを判定する処理を行う（Ｓ１２）。Ｐｉｎの値が０であると判定された場合（ＹＥＳの場合）には、演算部２１は、ＡＣスイッチ１３に対して商用電力の入力を遮断する（ＯＦＦする）制御信号を出力する処理を行う（Ｓ１３）。言い換えると、電源制御システムの運転モードを自立モードとする処理を行う。ここで、自立モードとは、負荷部１２に対して太陽光発電設備３０および風力発電設備４０の少なくとも一方から電力を供給し、商用系統１１からの電力供給を行わないモードである。この際、太陽光発電設備３０や、風力発電設備４０は、商用系統１１から供給される交流入力電力と同期した電源として用いられる（Ｓ１４）。
【００４１】
その後、分散電源監視部２０は、ＰＣＳ起動判断シーケンスを実行する処理を行う（Ｓ１５）。具体的には、図８に示すフローチャートに基づく処理を行う。まず、センサ部３５およびセンサ部４５から測定した電流値の測定信号、および、電圧値の測定信号を取得する処理を行う（Ｓ１０１：取得ステップ）。
【００４２】
演算部２１は、取得した測定信号に基づいて、ＰＣＳ３２における変換後の予測電力の値ＰＣＳｐ、ＰＣＳ４２における変換後の予測電力の値ＰＣＳｗ、および、両者の合計の値ＰＣＳｓｕｍを算出する処理を行う（Ｓ１０２：演算ステップ）。
【００４３】
その後、演算部２１は、算出したＰＣＳｓｕｍが記憶部２３に記憶された判定閾値ＴｈＡ以下であるか否かを判定する処理を行う（Ｓ１０３：第１判定ステップ）。本実施形態では、所定の消費電力の値は、直近の所定期間における負荷部１２の消費電力の値のうち、最も小さい値である例に適用して説明する。
【００４４】
Ｓ１０３の判定においてＰＣＳｓｕｍが判定閾値ＴｈＡ以下であると判定された場合（ＹＥＳの場合）、演算部２１は、ＰＣＳ３２およびＰＣＳ４２を起動する処理を行う（Ｓ１０４：制御ステップ）。なお、ＰＣＳ３２およびＰＣＳ４２の少なくとも一方が、既に起動されている場合には、そのまま変換後の電力を出力する動作を継続させる処理を行う。その後、図４のフローチャートに戻る。
【００４５】
Ｓ１０３の判定においてＰＣＳｓｕｍが判定閾値ＴｈＡを超えると判定された場合（ＮＯの場合）、演算部２１は、予測電力の値ＰＣＳｐが判定閾値ＴｈＡ以下であるか否かを判定する処理を行う（Ｓ１０５：第２判定ステップ）。Ｓ１０４の判定において、予測電力の値ＰＣＳｐが判定閾値ＴｈＡ以下であると判定された場合（ＹＥＳの場合）、演算部２１は、ＰＣＳ３２を起動し、ＰＣＳ４２を停止させる処理を行う（Ｓ１０６：制御ステップ）。その後、図４のフローチャートに戻る。
【００４６】
Ｓ１０４の判定において予測電力の値ＰＣＳｐが判定閾値ＴｈＡを超えると判定された場合（ＮＯの場合）、演算部２１は、予測電力の値ＰＣＳｗが判定閾値ＴｈＡ以下であるか否かを判定する処理を行う（Ｓ１０７：第２判定ステップ）。Ｓ１０５の判定において、予測電力の値ＰＣＳｗが判定閾値ＴｈＡ以下であると判定された場合（ＹＥＳの場合）、演算部２１は、ＰＣＳＷを起動し、ＰＣＳ３２を停止させる処理を行う（Ｓ１０８：制御ステップ）。その後、図４のフローチャートに戻る。
【００４７】
Ｓ１０５の判定において予測電力の値ＰＣＳｗが判定閾値ＴｈＡを超えると判定された場合（ＮＯの場合）、演算部２１は、ＰＣＳ３２およびＰＣＳ４２を停止させる処理を行う（Ｓ１０９：制御ステップ）。その後、図４のフローチャートに戻る。
【００４８】
なお、上述の実施形態では、ＰＣＳｓｕｍが判定閾値ＴｈＡを超えると判定された場合に、予測電力の値ＰＣＳｐが判定閾値ＴｈＡ以下であるか否かの判定（Ｓ１０５）を先に行い、予測電力の値ＰＣＳｗが判定閾値ＴｈＡ以下であるか否かの判定（Ｓ１０７）を後に行う例に適用して説明しているが、Ｓ１０７の判定を先に行い、Ｓ１０５の判定を後に行ってもよく、特に限定するものではない。これら判定の先後は、太陽光発電設備３０および風力発電設備４０における容量の大小に基づいて定めてもよいし、太陽光発電設備３０および風力発電設備４０における発電特性に基づいて定めてもよい。
【００４９】
ＰＣＳ起動判断シーケンスが終了すると、分散電源監視部２０の送受信部２２は、その時点におけるバッテリ１４のＳＯＣの値およびＶｂａｔｔの値を取得する処理を行う（Ｓ１６）。ＳＯＣおよびＶｂａｔｔの値を取得すると、演算部２１は、ＳＯＣの値がＳＯＣｍａｘの値以上であるか、または、Ｖｂａｔｔの値がＶｍａｘの値以上であるか否かを判定する処理を行う（Ｓ１７）。
【００５０】
Ｓ１７の判定において、ＳＯＣの値がＳＯＣｍａｘの値以上、および、Ｖｂａｔｔの値がＶｍａｘの値以上のすくなくとも一方を満たすと判定された場合（ＹＥＳの場合）には、演算部２１は、ＳＯＣの値、または、Ｖｂａｔｔの値がそれぞれの上限を逸脱した際の制御を行う。具体的には、ＰＣＳ３２およびＰＣＳ４２のうち起動しているものを１台停止させる処理を行う（Ｓ１８）。
【００５１】
その後、演算部２１は、ＳＯＣの値がＳＯＣｍａｘ２の値未満であり、かつ、Ｖｂａｔｔの値がＶｍａｘ２の値未満であるか否かを判定する処理を行う（Ｓ１９）。ＳＯＣの値がＳＯＣｍａｘ２の値以上、および、Ｖｂａｔｔの値がＶｍａｘ２の値以上の少なくとも一方を満たすと判定された場合（ＮＯの場合）には、Ｓ１８に戻り、上述の処理が繰り返し実行される。
【００５２】
Ｓ１９の判定処理において、ＳＯＣの値がＳＯＣｍａｘ２の値未満であり、かつ、Ｖｂａｔｔの値がＶｍａｘ２の値未満であると判定された場合（ＹＥＳの場合）には、ＳＯＣの値、または、Ｖｂａｔｔの値がそれぞれの上限を逸脱した際の制御を終了し、Ｓ１５に戻り上述の処理が繰り返し実行される。
【００５３】
Ｓ１７の判定処理において、ＳＯＣの値がＳＯＣｍａｘの値未満、かつ、Ｖｂａｔｔの値がＶｍａｘの値未満と判定された場合（ＮＯの場合）には、演算部２１は、ＳＯＣの値がＳＯＣｍｉｎの値未満、または、Ｖｂａｔｔの値がＶｍｉｎの値未満であるか否かを判定する処理を行う（Ｓ２０）。
【００５４】
Ｓ２０の判定処理において、ＳＯＣの値がＳＯＣｍｉｎの値以上、かつ、Ｖｂａｔｔの値がＶｍｉｎの値以上であると判定された場合（ＮＯの場合）には、Ｓ１０に戻り、上述の処理が繰り返し実行される。
【００５５】
Ｓ２０の判定処理において、ＳＯＣの値がＳＯＣｍｉｎの値未満、および、Ｖｂａｔｔの値がＶｍｉｎの値未満の少なくとも一方を満たすと判定された場合（ＹＥＳの場合）には、図５のフローチャートに移行し、演算部２１は、ＳＯＣの値、または、Ｖｂａｔｔの値がそれぞれの下限を逸脱した際の制御を行う。具体的には、ＡＣスイッチ１３に対して商用電力の入力させる（ＯＮする）制御信号を出力する処理を行う（Ｓ２１）。言い換えると、電源制御システムの運転モードを系統連系モードとする処理を行う。
【００５６】
ここで、系統連系モードとは、負荷部１２に対して太陽光発電設備３０および風力発電設備４０の少なくとも一方から電力を供給し、商用系統１１からの電力供給も行うモードである。この際、電力制御装置１０は、バッテリ１４への充電や放電の制御を行う（Ｓ２２）。
【００５７】
その後、演算部２１は交流入力電源が正常か否かを判定する処理を行う（Ｓ２３）。正常か否かの判定としてはＳ１０における判定方法と同様な方法であってもよいし、その他の方法であってもよい。Ｓ２３の判定において交流入力電源が異常と判定された場合（ＮＯの場合）には、後述する図７のフローチャートにおけるＳ４１に移行し、後述する処理が実行される。
【００５８】
Ｓ２３の判定において交流入力電源が正常と判定された場合（ＹＥＳの場合）には、演算部２１は、ＰｉｎをＰｘに設定する処理を行う（Ｓ２４）。その後、演算部２１は、ＳＯＣの値がＳＯＣｍｉｎ２の値以上、かつ、Ｖｂａｔｔの値がＶｍｉｎ２の値以上であるか否かを判定する処理を行う（Ｓ２５）。
【００５９】
Ｓ２５の判定において、ＳＯＣの値がＳＯＣｍｉｎ２の値未満、および、Ｖｂａｔｔの値がＶｍｉｎ２の値未満の少なくとも一方であると判定された場合（ＮＯの場合）には、Ｓ２３に戻り、上述の処理が繰り返し実行される。
【００６０】
その一方で、Ｓ２５の判定において、ＳＯＣの値がＳＯＣｍｉｎ２の値以上、かつ、Ｖｂａｔｔの値がＶｍｉｎ２の値以上であると判定された場合（ＹＥＳの場合）には、ＳＯＣの値、または、Ｖｂａｔｔの値がそれぞれの下限を逸脱した際の制御を終了し、図４のＳ１０に戻り上述の処理が繰り返し実行される。
【００６１】
また、上述のＳ１２の判定において、Ｐｉｎの値が０ではないと判定された場合（ＮＯの場合）には、図６のフローチャートに移行し、演算部２１は、ＡＣスイッチ１３に対して商用電力の入力させる（ＯＮする）制御信号を出力する処理を行う（Ｓ３１）。言い換えると、電源制御システムの運転モードを系統連系モードとする処理を行う。この際、電力制御装置１０は、バッテリ１４への充電や放電の制御を行う（Ｓ３２）。
【００６２】
その後、分散電源監視部２０は、ＰＣＳ起動判断シーケンスを実行する処理を行う（Ｓ３３）。ＰＣＳ起動判断シーケンスにおける処理は、Ｓ１５において説明した処理と同様であるため、その詳細を省略する。
【００６３】
ＰＣＳ起動判断シーケンスが終了すると、分散電源監視部２０の送受信部２２は、その時点におけるバッテリ１４のＳＯＣおよびＶｂａｔｔの値を取得する処理を行う（Ｓ３４）。ＳＯＣおよびＶｂａｔｔの値を取得すると、演算部２１は、ＳＯＣの値がＳＯＣｍａｘの値以上であるか、または、Ｖｂａｔｔの値がＶｍａｘの値以上であるか否かを判定する処理を行う（Ｓ３５）。
【００６４】
Ｓ３５の判定において、ＹＥＳと判定された場合には、演算部２１は、ＳＯＣの値、または、Ｖｂａｔｔの値がそれぞれの上限を逸脱した際の制御を行う。具体的には、ＰＣＳ３２およびＰＣＳ４２のうち起動しているものを１台停止させる処理を行う（Ｓ３６）。その後、演算部２１は、ＳＯＣの値がＳＯＣｍａｘ２の値未満であり、かつ、Ｖｂａｔｔの値がＶｍａｘ２の値未満であるか否かを判定する処理を行う（Ｓ３７）。
【００６５】
Ｓ３７の判定において、ＮＯと判定された場合には、Ｓ３６に戻り、上述の処理が繰り返し実行される。その一方で、ＹＥＳと判定された場合には、ＳＯＣの値、または、Ｖｂａｔｔの値がそれぞれの上限を逸脱した際の制御を終了し、Ｓ３３に戻り上述の処理が繰り返し実行される。
【００６６】
Ｓ３５の判定処理において、ＮＯと判定された場合には、演算部２１は、ＳＯＣの値がＳＯＣｍｉｎの値未満、または、Ｖｂａｔｔの値がＶｍｉｎの値未満であるか否かを判定する処理を行う（Ｓ３８）。
【００６７】
Ｓ３８の判定処理において、ＮＯと判定された場合には、図４のフローチャートにおけるＳ１０に戻り、上述の処理が繰り返し実行される。その一方で、ＹＥＳと判定された場合には、図５のフローチャートにおけるＳ２３に移行し、上述の処理が繰り返し実行される。
【００６８】
また、図４のフローチャートにおけるＳ１０の判定において、交流入力電源が異常と判定された場合（ＮＯの場合）には、図７のフローチャートに移行し、演算部２１は、ＡＣスイッチ１３に対して商用電力の入力を遮断する（ＯＦＦする）制御信号を出力する処理を行う（Ｓ４１）。言い換えると、電源制御システムの運転モードをバックアップモードとする処理を行う。この際、電力制御装置１０は、定電圧定周波数制御（ＣＶＣＦ制御）を行う（Ｓ４２）。
【００６９】
その後、分散電源監視部２０は、ＰＣＳ起動判断シーケンスを実行する処理を行う（Ｓ４３）。ＰＣＳ起動判断シーケンスにおける処理は、Ｓ１５において説明した処理と同様であるため、その詳細を省略する。
【００７０】
ＰＣＳ起動判断シーケンスが終了すると、分散電源監視部２０の送受信部２２は、その時点におけるバッテリ１４のＳＯＣおよびＶｂａｔｔの値を取得する処理を行う（Ｓ４４）。ＳＯＣおよびＶｂａｔｔの値を取得すると、演算部２１は、ＳＯＣの値がＳＯＣｍａｘｂの値以上であるか、または、Ｖｂａｔｔの値がＶｍａｘｂの値以上であるか否かを判定する処理を行う（Ｓ４５）。
【００７１】
Ｓ４５の判定において、ＳＯＣの値がＳＯＣｍａｘｂの値以上、および、Ｖｂａｔｔの値がＶｍａｘｂの値以上のすくなくとも一方を満たすと判定された場合（ＹＥＳの場合）には、演算部２１は、ＳＯＣの値、または、Ｖｂａｔｔの値がそれぞれの上限を逸脱した際の制御を行う。具体的には、ＰＣＳ３２およびＰＣＳ４２のうち起動しているものを１台停止させる処理を行う（Ｓ４６）。
【００７２】
その後、演算部２１は、ＳＯＣの値がＳＯＣｍａｘｂ２の値未満であり、かつ、Ｖｂａｔｔの値がＶｍａｘｂ２の値未満であるか否かを判定する処理を行う（Ｓ４７）。ＳＯＣの値がＳＯＣｍａｘｂ２の値以上、および、Ｖｂａｔｔの値がＶｍａｘｂ２の値以上の少なくとも一方を満たすと判定された場合（ＮＯの場合）には、Ｓ４６に戻り、上述の処理が繰り返し実行される。
【００７３】
Ｓ４７の判定処理において、ＳＯＣの値がＳＯＣｍａｘｂ２の値未満であり、かつ、Ｖｂａｔｔの値がＶｍａｘｂ２の値未満であると判定された場合（ＹＥＳの場合）には、ＳＯＣの値、または、Ｖｂａｔｔの値がそれぞれの上限を逸脱した際の制御を終了し、Ｓ４３に戻り上述の処理が繰り返し実行される。
【００７４】
Ｓ４５の判定処理において、ＳＯＣの値がＳＯＣｍａｘｂの値未満、かつ、Ｖｂａｔｔの値がＶｍａｘｂの値未満と判定された場合（ＮＯの場合）には、演算部２１は、ＳＯＣの値がＳＯＣｍｉｎｂの値未満、または、Ｖｂａｔｔの値がＶｍｉｎｂの値未満であるか否かを判定する処理を行う（Ｓ４８）。
【００７５】
Ｓ４８の判定処理において、ＳＯＣの値がＳＯＣｍｉｎｂの値以上、かつ、Ｖｂａｔｔの値がＶｍｉｎｂの値以上であると判定された場合（ＮＯの場合）には、図４のフローチャートにおけるＳ１０に戻り、上述の処理が繰り返し実行される。
【００７６】
Ｓ４８の判定処理において、ＳＯＣの値がＳＯＣｍｉｎｂの値未満、または、Ｖｂａｔｔの値がＶｍｉｎｂの値未満であると判定された場合（ＹＥＳの場合）には、演算部２１は、電力制御システム１を停止させる処理を実行する（Ｓ４９）。
【００７７】
上記の構成の電力制御システム１によれば、太陽光発電設備３０のＰＣＳ３２および風力発電設備４０のＰＣＳ４２から出力が予測される電力量ＰＣＳｓｕｍが、電力制御装置１０の容量Ｐｉｎおよび所定の消費電力量の和である判定閾値ＴｈＡを超える場合には、ＰＣＳ３２およびＰＣＳ４２の少なくとも一方における電力の変換が停止される。その一方で、予測した電力量ＰＣＳｓｕｍが判定閾値ＴｈＡ以下の場合には、ＣＳ３２およびＰＣＳ４２における電力の変換が継続される。また、電力の変換が継続される場合であって、予測した電力量ＰＣＳｓｕｍが負荷部１２における消費電力量を超えるときには、超える分の電力量が電力制御装置１０を介してバッテリ１４に充電される。予測した電力量ＰＣＳｓｕｍが負荷部１２における消費電力量以下のときには、太陽光発電設備３０および風力発電設備４０から供給される電力の全てが負荷部１２へ供給される。
【００７８】
判定閾値ＴｈＡとして、電力制御装置１０の容量Ｐｉｎも加えた値を用いることにより、負荷部１２の所定の消費電力量だけの場合と比較して、ＰＣＳ３２やＰＣＳ４２における電力変換および停止の制御が行われる頻度が低下しやすくなる。その結果、ＰＣＳ３２やＰＣＳ４２の不具合発生を抑制し、発電の機会損失を低減することができる。
【００７９】
上述のように、太陽光発電設備３０および風力発電設備４０が設けられている場合であっても、太陽光発電設備３０および風力発電設備４０の一方を用いて逆潮流を起こさないように電力の供給を行い、余剰となった他方に対しては電力の供給を停止する制御を行うことにより、発電の機会損失をさらに低減することができる。
【００８０】
例えば、Ｓ１０３およびＳ１０４の処理により太陽光発電設備３０および風力発電設備４０が起動されている場合に、ＰＣＳｓｕｍが負荷部１２における消費電力量を超えるときに、超えた分の電力をバッテリ１４に充電することにより、超えた分の電力を抵抗器などで熱に変換する場合と比較して、太陽光発電設備３０や風力発電設備４０から供給された電力が負荷部１２で利用される割合を増加させやすくなる。
【００８１】
〔第２の実施形態〕
次に、本発明の第２の実施形態について図９から図１１を参照して説明する。本実施形態の電力制御システムの基本構成は、第１の実施形態と同様であるが、第１の実施形態とは、バッテリの代わりに抵抗負荷が電力制御装置に連系されている点が異なっている。よって、本実施形態においては、図９から図１１を用いて抵抗負荷に関連する内容について説明し、その他の構成等については説明を省略する。
【００８２】
本実施形態の電力制御システム１０１における電力制御装置１０には、抵抗負荷（電力処理部、蓄電部）１１４が連系されている。抵抗負荷１１４は、電力制御装置１０を介して供給された電力を熱に変換して周囲に放出することにより消費するものである。なお、抵抗負荷１１４における電力の消費方法等については、公知の技術を用いることができ特に限定するものではない。
【００８３】
そのため、分散電源監視部２０の送受信部２２は、図１０に示すように、ＰＣＳ３２や、ＰＣＳ４２や、センサ部３５やセンサ部４５との間で信号の送受信を行うとともに、抵抗負荷１１４との間でも信号の送受信を行う。
【００８４】
次に、上記構成の電力制御システム１０１における制御について説明する。
商用系統１１から電力制御装置１０に交流電力の供給が開始されると、図１１のフローチャートに示すように、分散電源監視部２０の演算部２１は交流入力電源が正常か否かを判定する処理を行う（Ｓ２１０）。
【００８５】
Ｓ１０の判定において交流入力電源が正常と判定された場合（ＹＥＳの場合）には、演算部２１は、Ｐｉｎを設定する処理を行う（Ｓ２１１）。Ｓ２１１の処理では、電力制御装置１０の最大容量Ｐｍａｘ以下、かつ、負荷部１２の最大消費電力を超える範囲で所定値Ｐｘが設定される例に適用して説明する。
【００８６】
その後、演算部２１は、ＡＣスイッチ１３に対して商用電力を入力する（ＯＮする）制御信号を出力する処理を行う（Ｓ２１３）。Ｓ２１３の処理では、Ｐｉｎを上限として不足分だけ供給される。ここで不足分とは、［負荷部１２の消費電力］−［ＰＣＳ３２、ＰＣＳ４２の出力電力］である。これは、負荷部１２においてＰＣＳ３２、ＰＣＳ４２の出力電力の消費が優先され、不足する分が商用系統１１から供給されることを意味している。
【００８７】
次いで、分散電源監視部２０は、ＰＣＳ起動判断シーケンスを実行する処理を行う（Ｓ２１５）。ＰＣＳ起動判断シーケンスの処理内容は、第１の実施形態で説明した内容と同様であるため、その説明を省略する。
【００８８】
ＰＣＳ起動判断シーケンスが終了すると、分散電源監視部２０は、太陽光発電設備３０や風力発電設備４０から供給される電力量が負荷部１２における消費電力量を瞬時的に超えた場合、余剰分の電力量を抵抗負荷１１４に供給する処理を行う（Ｓ２１６）。その後、Ｓ２１０に戻り、上述の処理を繰り返し行う。
【００８９】
また上述のＳ２１０の判定において、交流入力電源が異常と判定された場合（ＮＯの場合）には、演算部２１は、ＡＣスイッチ１３に対して商用電力の入力を遮断する（ＯＦＦする）制御信号を出力する処理を行う（Ｓ２４１）。言い換えると、電力の供給を遮断する処理を行う。その後、電力制御システム１０１を停止させる処理を行い（Ｓ２４２）、電力制御システム１０１における制御を終了する。
【００９０】
上記の構成によれば、例えば、Ｓ１０３およびＳ１０４の処理により太陽光発電設備３０および風力発電設備４０が起動されている場合に、ＰＣＳｓｕｍが負荷部１２における消費電力量を超えるときに、超えた分の電力は抵抗負荷１１４で熱に変換されて消費される。そのため、超えた分の電力をバッテリ１４に充電する場合と比較して充電容量の制限がないことから、超えた分の電力を消費し続けることができ、逆潮流の発生を抑制しやすくなる。
【００９１】
なお、本発明の技術範囲は上記実施形態に限定されるものではなく、本発明の趣旨を逸脱しない範囲において種々の変更を加えることが可能である。例えば、上記の実施の形態においては、分散電源装置が太陽光発電設備３０および風力発電設備４０の２つである例に適用して説明したが、分散電源装置の数は１つであってもよいし、３つ以上であってもよい。また、分散電源装置の種類が同種であってもよいし、太陽光発電設備３０および風力発電設備４０以外の種類であってもよい。
【符号の説明】
【００９２】
１，１０１…電力制御システム、１０…電力制御装置、１１…商用系統、１２…負荷部、１４…バッテリ（電力処理部、蓄電部）、２０…分散電源監視部、３０…太陽光発電設備（分散電源装置）、３１…太陽光パネル（発電部）、３２…ＰＣＳ（変換部）、３５…センサ部、４０…風力発電設備（分散電源装置）、４１…風力発電部（発電部）、４２…ＰＣＳ（変換部）、４５…センサ部、１１４…抵抗負荷（電力処理部、蓄電部）、Ｓ１０１…取得ステップ、Ｓ１０２…演算ステップ、Ｓ１０３…第１判定ステップ、Ｓ１０４，Ｓ１０６，Ｓ１０８，Ｓ１０９…制御ステップ、Ｓ１０５，Ｓ１０７…第２判定ステップ
【図１】
2016111735.tif 000003
【図２】
2016111735.tif 000004
【図３】
2016111735.tif 000005
【図４】
2016111735.tif 000006
【図５】
2016111735.tif 000007
【図６】
2016111735.tif 000008
【図７】
2016111735.tif 000009
【図８】
2016111735.tif 000010
【図９】
2016111735.tif 000011
【図１０】
2016111735.tif 000012
【図１１】
2016111735.tif 000013